(57)【要約】  本明細書では、エチレンガスなどの空気サンプル中の低濃度の反応性ガスの検出を向上させる方法、装置およびシステムが提供される。該方法とシステムでは、空気サンプルから妨害ガスを除去することによって、電気化学セルの選択性、感度および精度が向上する。一部のシステムは、電気化学セルと、該セルの上流側に配置された極性溶媒ガストラッププレフィルタと、を備えたエチレンセンサを含む。一部の方法は、空気サンプル中のエチレン量の測定方法であり、該空気サンプルを極性溶媒ガストラップ内を通過させるステップと、該空気サンプル中のエチレン量を電気化学セルで測定するステップと、を備える。【選択図】図２
2016514845.tif 000002
【特許請求の範囲】
【請求項１】
電気化学セルと、
前記電気化学セルの上流側に配置される極性溶媒ガストラッププレフィルタと、を備えることを特徴とするエチレンセンサ。
【請求項２】
前記極性溶媒は、１つまたは複数の妨害ガスを捕獲する請求項１に記載のエチレンセンサ。
【請求項３】
前記１つまたは複数の妨害ガスは、エタノール、メタノール、一酸化炭素または酢酸イソアミルを含む請求項２に記載のエチレンセンサ。
【請求項４】
前記極性溶媒は、エチレンの前記ガストラップ内の通過を可能とする請求項３に記載のエチレンセンサ。
【請求項５】
前記極性溶媒は、水またはアルコールを含む請求項１に記載のエチレンセンサ。
【請求項６】
前記エチレンセンサは、空気サンプルを前記ガストラップ内を通過させた後に、前記電気化学セル内に通すように構成されている請求項１に記載のエチレンセンサ。
【請求項７】
空気サンプルを前記ガストラップと前記電気化学セルを通して循環させるサーキュレータをさらに備える請求項１に記載のエチレンセンサ。
【請求項８】
前記サーキュレータは、順モードと逆モードとを有する請求項７に記載のエチレンセンサ。
【請求項９】
前記サーキュレータを順モードで作動させることによって、空気サンプルは、前記ガストラップ内を通過して前記電気化学セル内に移動する請求項８に記載のエチレンセンサ。
【請求項１０】
前記サーキュレータを逆モードで作動させることによって、使用後の前記ガストラップを再生する請求項９に記載のエチレンセンサ。
【請求項１１】
空気サンプルを極性溶媒ガストラップ内を通過させるステップと、
前記空気サンプル中のエチレン量を電気化学セルで測定するステップと、を備えることを特徴とする空気サンプル中のエチレン量の測定方法。
【請求項１２】
前記空気サンプルを前記極性溶媒ガストラップ内を通過させることによって、前記極性溶媒は、１つまたは複数の妨害ガスを捕獲できる請求項１１に記載の方法。
【請求項１３】
前記１つまたは複数の妨害ガスは、エタノール、メタノール、一酸化炭素または酢酸イソアミルを含む請求項１２に記載の方法。
【請求項１４】
前記空気サンプルを前記極性溶媒ガストラップ内を通過させることによって、エチレンの前記ガストラップ内の通過が可能である請求項１３に記載のエチレンセンサ。
【請求項１５】
前記極性溶媒は、水またはアルコールを含む請求項１１に記載の方法。
【請求項１６】
前記空気サンプルを前記極性溶媒ガストラップ内を通過させるステップは、サーキュレータを用いて、前記空気サンプルを前記ガストラップ内を通過させて前記電気化学セル内に循環させるステップを含む請求項１１に記載の方法。
【請求項１７】
前記サーキュレータは、順モードと逆モードとを有する請求項１６に記載の方法。
【請求項１８】
前記サーキュレータを順モードで作動させることによって、空気サンプルは、前記ガストラップ内を通過して前記電気化学セル内に移動する請求項１７に記載のエチレンセンサ。
【請求項１９】
前記サーキュレータを逆モードで作動させることによって、使用後の前記ガストラップを再生する請求項１８に記載のエチレンセンサ。
【請求項２０】
前記サーキュレータを逆モードで作動させて、前記ガストラップを再生するステップをさらに含む請求項１６に記載の方法。
【発明の詳細な説明】
【技術分野】
【０００１】
（関連出願の相互参照）
本出願は、２０１４年２月２０日出願の米国特許出願第１４／１８５，１３６号「ＥＴＨＹＬＥＮＥ  ＧＡＳ  ＤＥＴＥＣＴＩＯＮ  ＤＥＶＩＣＥ  ＡＮＤ  ＭＥＴＨＯＤＳ  ＯＦ  ＵＳＥ」および２０１３年４月２日出願の米国仮特許出願第６１／８０７，６７５号「ＥＴＨＹＬＥＮＥ  ＧＡＳ  ＳＥＰＡＲＡＴＩＯＮ  ＭＥＴＨＯＤ」に対して優先権を主張するものであり、両出願の開示は、その全体が参照により本明細書に援用される。
【０００２】
本明細書の実施形態は、低濃度の反応性ガスの検出に関し、より具体的には、エチレンガスセンサの精度、選択性、およびまたは感度の向上方法と装置に関する。
【背景技術】
【０００３】
エチレンは、落果と熟成に関連する古典的な植物ホルモンである。貯蔵環境におけるエチレン濃度を低く維持することによって、一部の主要な商品（ある種の果実および切花など）を生理的熟成前に収穫し、その後貯蔵およびまたは離れた市場へ輸送することが可能となる。こうした状況では、エチレン量が多くなると、早期発達、腐敗および最終的には経済的損失に繋がり得る。十分な選択性を有し、安価で効果的な携帯電気化学エチレンセンサは、今まで実現されていない。
【図面の簡単な説明】
【０００４】
以下の詳細な説明と添付図によって、実施形態は容易に理解されるであろう。実施形態は例示として示されるものであり、添付図の形状を限定するものではない。
【０００５】
【図１】エチレンセンサであるＩｎｔｅｒＳｃａｎ（登録商標）電気化学セルの一例の写真（図１Ａ）と、種々の実施形態に従って使用される典型的な電気化学セルの概略図（図１Ｂ）である。
【０００６】
【図２】種々の実施形態に従って、図１Ａおよび図１Ｂのエチレンセンサなどのエチレンセンサと共に使用される典型的なガストラップの概略図である。
【０００７】
【図３】種々の実施形態に従って、図２のガストラップを内部閉ループへの切り替えによって再生可能とする方法を示す概略図である。
【０００８】
【図４】種々の実施形態に従って、ガストラップを利用して被分析気流をろ過後に測定されたエチレン濃度と擬似エチレン濃度とを示すグラフである。
【発明を実施するための形態】
【０００９】
以下の詳細な説明では、その一部を構成する添付図を参照する。該添付図は、実施可能な実施形態を例示する目的で示すものである。他の実施形態を用いることも可能であり、また、構造的あるいは論理的な変更が本発明の範囲を逸脱することなく行われ得ることは理解されるべきである。従って、以下の詳細な説明は制限的な意味合いで捉えられるものではなく、実施形態の範囲は、添付の請求項およびその均等物によって画定されるものである。
【００１０】
実施形態の理解に有用な順番と方法で、種々の操作が複数の個別の操作として説明されるが、しかしながら、説明の順番は、これらの操作が順番依存であることを示唆するように解釈されるべきでない。
【００１１】
該説明では、上／下、前／後あるいは頂部／底部などの透視図法に基づいた説明がなされ得る。こうした説明は単に理解を容易にするために用いられるものであり、開示された実施形態の用途を制限するように意図されるものではない。
【００１２】
「連結された」、「接続された」およびそれらの派生語も使用され得る。これらの用語は、互いに同意語としては意図されないことは理解されるべきである。そうではなく、特定の実施形態では、「接続された」は、２つ以上の要素が互いに直接物理的または電気的に接触していることを示唆するために用いられ得る。「連結された」は、２つ以上の要素が直接物理的または電気的に接触していることを意味し得る。しかしながら、「連結された」は、２つ以上の要素が互いに直接には接触していないが、互いに協働または相互作用していることも意味し得る。
【００１３】
本説明の目的のために、「Ａ／Ｂ」または「ＡおよびまたはＢ」は、（Ａ）、（Ｂ）または（ＡおよびＢ）を意味する。本説明の目的のために、「Ａ、ＢおよびＣの内の少なくとも１つ」は、（Ａ）、（Ｂ）、（Ｃ）、（ＡおよびＢ）、（ＡおよびＣ）、（ＢおよびＣ）または（Ａ、ＢおよびＣ）を意味する。本説明の目的のために、「（Ａ）Ｂ」は、（Ｂ）または（ＡＢ）、すなわち、Ａは任意の要素であることを意味する。
【００１４】
説明では、「ある実施形態」または「（一部の）実施形態」が用いられ得るが、これはそれぞれ、同じであっても異なっていてもよい実施形態の１つまたは複数を指す。また、実施形態に関して使用される「備える」、「含む」、「有する」などは同意語である。
【００１５】
種々の実施形態では、エチレンガスなどの低濃度で存在する反応性ガスの検出を向上させる方法、装置およびシステムが提供される。典型的な実施形態では、コンピューティングシステムには、開示された装置およびまたはシステムの１つまたは複数が設けられており、これを用いて、ここに開示の１つまたは複数の方法を実行し得る。
【００１６】
古典的な植物ホルモンであるエチレンは、２個の炭素原子と４個の水素原子からなる（Ｃ２Ｈ４またはＨ２Ｃ＝ＣＨ２）低分子量で無色の炭化水素ガスである。エチレンは、観賞植物および食用作物において、有益な効果と望ましくない効果の両方に関与している。例えば、エチレンは、開花を防ぎ、節間長を短くし、分枝を増やし、果実を熟成させ、葉と花の老化と脱離をもたらし、葉の萎黄病（黄変）を引き起こし、不定根を改善し得る。作物の中には、エチレンに比較的影響されないものもあれば、非常に影響されるものもある。例えば、ポインセチアは、１ｐｐｍエチレン暴露２４時間後でほとんど変化を示さないが、クフェアヒッソピフォリアは、０．０１ｐｐｍ暴露２４時間後にすべての花が離脱する。
【００１７】
多くの果実と花は、このガスによって、花の老化と脱離および果実熟成が早められるという影響を受け得るので、温室や農産物倉庫などの多くの商業的環境では、エチレン量を制限することが重要である。従って、果実や切花は、注意深く制御されなければ、エチレンによってその保存可能期間が短縮され得る。また、農産物、花および植物は、出荷、取り扱いまたは貯蔵中にストレスを受けると、過剰なエチレンを生成し得るので、保存可能期間と花の展示期間がさらに短縮される。貯蔵環境におけるエチレン濃度を低く維持することによって、一部の主要な商品（バナナ、柑橘類および切花など）を生理的熟成前に収穫し、その後貯蔵およびまたは離れた市場へ輸送することが可能となる。こうした貯蔵容器内へのエチレンの漏出または蓄積は、早期発達、腐敗および最終的には経済的損失に繋がり得る。
【００１８】
このように、花屋、市場、供給者および栽培者は、エチレンによって大きな経済的損失を被り得る。同時に、エチレンは、例えば、販売場所で果実を熟成させる場合や、アナナスやパイナップル植物などの特定の植物を開花させる場合には、商業上有用であり得る。このために、環境中のエチレンの検出とその量のモニタリングは、種々の環境において有用であり得る。
【００１９】
エチレンの検出は、典型的には、ガスクロマトグラフィを用いて行われてきた。しかしながら、この方法は高価であり得るため、リアルタイムでの現場使用には一般に適さない。電気化学センサはポータブルで手頃だが、十分な精度、選択性および感度の実現が問題であった。任意の空気サンプル中のエチレン濃度は典型的に低く、また、他の妨害ガスによって、多くのエチレンセンサの有効性が低減され得る。しかしながら、以下に詳細に説明するように、被分析空気を事前にろ過してエチレン検出を妨害し得るガスを除去すれば、感度、選択性および精度を向上させ得る。
【００２０】
電気化学エチレンセンサは、電極上のエチレンを酸化させ派生電流を測定することによって、エチレンガス濃度を測定する検出器である。典型的なセンサは、電解質に接触している２個、３個または４個の電極を備える。一部の実施形態では、高表面積貴金属を多孔質の疎水性膜に固定することによって、該電極を製造してもよい。一部の実施形態では、作用電極は、例えば多孔質膜を経由して、電解質とモニターされる空気の両方に接触していてもよい。最も一般に使用される電解質は鉱酸だが、一部の実施形態では、有機電解質も使用される。
【００２１】
種々の実施形態では、空気サンプルは、センサ筐体内に拡散あるいはセンサ筐体内を通って作用電極まで循環してもよく、サンプル中のエチレンガスはそこで酸化される。種々の実施形態では、この電気化学反応によって、外部回路を流れる電流が得られる。一部の実施形態では、外部回路によって、測定、増幅および他の信号処理機能の実行に加えて、２電極センサの場合の作用電極と対向電極間の、あるいは３電極センサの場合の作用電極と参照電極間のセンサ電圧を維持してもよい。種々の実施形態では、対向電極では、同様の逆反応（例えば還元）が生じ得る。
【００２２】
一般的に言えば、該電流の大きさは、作用電極でのエチレンの酸化方法で制御される。しかしながら、上記のように、任意の空気サンプル中のエチレン濃度は典型的に低く、また、他の妨害ガスによって、多くの電気化学センサの有効性が低減され得る。本明細書での「妨害ガス」は、エチレンと同じ電位窓で酸化される任意のガスを指す。一部の実施形態では、該電位窓は、例えば約０．４Ｖ〜約０．６Ｖである。エチレンの酸化には、非常にアクティブな作用電極触媒と高い作動電位が必要となるため、種々の実施形態では、この交差感度が問題となり得る。従って、種々の実施形態では、アルコールや一酸化炭素などのより容易に酸化されるガスによっても、センサ信号が生成されるであろう。種々の実施形態では、現場用途での主要な妨害ガスは、エタノールと酢酸イソアミルであり得る。
【００２３】
エチレン検出用の電気化学セルの一例を図１Ａと１Ｂに示す。図１Ａは、ＩｎｔｅｒＳｃａｎ（登録商標）電気化学セル（Ａｓｈｔｅａｄ  Ｔｅｃｈｎｏｌｏｇｙ，Ｗｉｎｄｓｏｎ，ＮＪ）の写真であり、図１Ｂは、種々の実施形態に従って使用される典型的な電気化学セルの概略図である。図１Ｂに示すように、電気化学セル１００は、一対の二酸化鉛対向電極１０２ａと１０２ｂ、グラスウールなどの基板内に支持された電解質１０４、白金電極などの作用電極１０６、被分析気流入口１０８、ガス排出口１１０、導線接触部１１２ａ、１１２ｂおよび１１２ｃ、および電解質充填孔１１４を備えていてもよい。種々の実施形態では、使用時に、適切な量の適切な電解質を電解質充填孔１１４から電気化学セル１００に導入し、空気サンプルを気流入口１０８から電気化学セル１００に導入してもよい。その後、空気サンプルを作用電極１０６上を通過させ、そこで任意のエチレンガス（および任意の妨害ガス）を酸化させて電気信号を生成させてもよい。種々の実施形態では、二酸化鉛対向電極１０２ａ、１０２ｂで逆の還元反応が生じ得る。種々の実施形態では、その後、空気サンプルは、ガス排出口１１０を通って電気化学セル１００から排出されてもよい。種々の実施形態では、酸化によって生成された電流はその後、外部回路（非図示）を流れて種々の増幅と信号処理作用を受け、サンプル中のエチレンガス（および他の妨害ガス）の量に応じた出力信号を生成してもよい。これらの信号処理ステップは従来から行われているものであり、当業者にはよく知られているであろう。一部の実施形態では、対向電極から延びたリード線は連結されて、単一のリード線を形成する。
【００２４】
上記のように、空気サンプル中のある種の妨害ガスによって、電気化学セルには測定誤差が生じ得る。しかしながら、ここに開示するように、ガストラップを用いて、電気化学セルに入る前の空気サンプルから妨害ガスを除去してもよく、これによって、エチレンセンサの感度、選択性および精度が向上する。種々の実施形態では、該ガストラップは、空気サンプル中に存在し得る妨害ガスと比較して、エチレンの極性溶剤への溶解度が比較的低いことを利用してもよい。一部の実施形態では、エチレンセンサ内への導入前に、空気サンプルを水充填またはアルコール充填の状態調節チャンバを通してバブリングさせてもよく、これによって、エタノール、メタノールおよび酢酸イソアミルを含む数種の妨害ガスが効果的に除去される。水は、ここに記載の種々の特定の実施形態で使用されるが、アンモニア単独または水と組み合わせたアンモニアなどの他の極性溶剤を使用してもよい。種々の実施形態では、該ガストラップでは、「似ているものどうしは溶け合う」という化学原理を利用しており、エタノール、メタノールおよび酢酸イソアミルなどの極性分子は、該トラップで除去される。種々の実施形態では、非極性炭化水素であるエチレンは、比較的容易に該トラップ内を通過する。従って、種々の実施形態では、種々のエチレンセンサの動作性能は、ここに記載の方法と装置を用いることによって向上し得る。特別の実施形態では、空気サンプルの場合に該ガストラップを上流側プレフィルタとして用いると、センサの選択性が大きく向上し得る。
【００２５】
図２は、種々の実施形態に従って、図１Ｂの電気化学セルなどのエチレンセンサと共に使用される典型的なガストラップシステム２００の概略図である。図２に示すように、ガス源２１０（例えば環境大気サンプル）としては、エチレンと、エタノールおよび酢酸イソアミルなどの妨害ガスと、の両方が含まれ得る。種々の実施形態では、これらの妨害ガスによって、電気化学セルでの測定誤差が生じ得る。従って、種々の実施形態では、空気サンプルをガストラップ２２０内を通過させて、エタノールや酢酸イソアミルなどの極性分子をガストラップ２２０の極性溶媒に溶解させてもよい。対照的に、種々の実施形態では、エチレンは、ガストラップ２２０内を通過して電気化学セルセンサ２３０に入り、そこで酸化され、酸化生成物としてＣ０２を放出する。妨害ガスは、ガストラップ２２０に残留し電気化学セルセンサ２３０には入らないので、センサ出力は、空気サンプル中のエチレン量を反映したものとなり、妨害ガスの存在によって人為的に高くならない。
【００２６】
一部の実施形態では、使用後、トラップと被分析気流間の濃度こう配を反転させて、ガストラップを再生してもよい。図３は、種々の実施形態に従って、図２のガストラップを内部閉ループへの切り替えによって再生可能とする方法を示す概略図である。種々の実施形態では、使用後、電気化学セルセンサ２３０の出力には、ガストラップ２２０にトラップされた妨害ガスより低い濃度の妨害ガスが含まれ得る。種々の実施形態では、この勾配によって、トラップされた妨害ガスが気相へと移動して、電気化学セルセンサ２３０で酸化およびまたは燃焼し得る。種々の実施形態では、ガストラップ２２０内で検出される妨害ガス分子濃度が十分に低くなった後、電気化学セルセンサ２３０を正常の動作状態に戻してもよい。
【実施例】
【００２７】
実施例１：ガストラップの妥当性試験
【００２８】
この実施例では、空気サンプル中のエチレン量測定前の該サンプルからの妨害ガスの除去によるエチレンセンサの感度、精度および選択性の向上において、ここに記載のガストラップの有効性を実証する。図４は、種々の実施形態に従って、ガストラップを用いて被分析気流をろ過後に測定されたエチレン濃度と「擬似エチレン濃度」とを示すグラフである。参考データ（例えば、図４に菱形で示した対照）は、ＣＩ−９００電気化学セルエチレンセンサ（ＣＩＤ  Ｂｉｏ−Ｓｃｉｅｎｃｅ，Ｃａｍａｓ，ＷＡ）をエチレン校正源（５１３ＰＰＢ）に直接接続して収集した。妨害ガスの影響を試験するために、校正源からの５１３ｐｐｂエチレンを２個の３Ｌサンプルバッグに充填した。「エタノール妨害データ」（図４に三角形で示す）の場合、エタノールの８２％ボトルのヘッドスペース５ｍＬをそれぞれのバッグに注入した。酢酸イソアミルとエタノールの混合物（図４の×で示す）の場合にもこの手順を繰り返して、酢酸イソアミルの９９％ボトルのヘッドスペース５ｍＬおよび上記のエタノールボトルのエタノールヘッドスペース５ｍＬをサンプルバッグに注入した。
【００２９】
図４に示すように、該ガストラップを使用すると、エタノールガスの存在下でエチレンを電気化学セルセンサに供給時に、ＣＩ−９００では、エチレン濃度の僅かな上昇だけが検出された（三角形）。ＣＩ−９００のセンサ分解能は１０ｐｐｂである。ガストラップなしでは、ＣＩ−９００の検出上限である２０ｐｐｍを超えた。従って、この観測された上昇は、エタノールを空気サンプルに添加時に典型的に観測される「擬似エチレン濃度」の予期される上昇の１０％未満に相当する。エタノールと酢酸イソアミルの両方を空気サンプルに添加した場合（図４の×で示す）、電気化学セルセンサは、これら両方を空気サンプルに添加時に典型的に観測される「擬似エチレン濃度」の予期される上昇の２５％未満を示した。測定は、３回の連続した測定期間（測定期間の間にトラップを周期的に再生）に対して２回繰り返した。
【００３０】
この実施例では、妨害ガスに対して周期的なトラップを行うことによって、妨害ガスの存在下で発生する誤差信号が劇的に低減できることを実証する。
【００３１】
実施例２：ＣＩ−９００電気化学セルとガストラップとの使用
【００３２】
この実施例では、ＣＩ−９００電気化学セルと妨害ガス除去用ガストラップとの使用を例証する。植物のライフサイクルまたは生物季節学におけるエチレンの多くの役割については、学ぶべきことが多い。ＣＩ−９００エチレ分析器によって、現場でエチレンデータを収集する便利な手段が提供され、また、ＣＩ−９００−ＦＫ現場キットによって、研究者は、単一の花や果実、あるいは他の生きた、またはＩｎ−ｓｉｔｕで植物構造を単離して、ガス交換を分析することが可能となる。
【００３３】
高分解能Ｃ０２（０〜２０００ｐｐｍｖ）センサを使用することによって、光合成とエチレン生成を同時に分析できる。種々の実施形態では、流入する空気サンプルが電気化学センサに入る前にガストラップを通過するように、ここに記載のガストラップをＣＬ−９００センサの上流側に取り付けてもよい。種々の実施形態では、これによって、使用者は、空気サンプルが電気化学セルに入る前に、該サンプルから妨害ガスを除去でき得る。種々の実施形態では、ガストラップを用いて空気サンプルを事前ろ過することによって、エチレンセンサの選択性、感度および精度が劇的に向上し得る。
【００３４】
実施例３：農産物の取り扱いまたは貯蔵環境での、ＣＩ−９００電気化学セルとガストラップとの使用
【００３５】
この実施例では、農産物の貯蔵または取り扱い施設における、ここに記載のガストラップを有するセンサの使用を例証する。栽培者、包装者、仲買人、および運送人を含む農産物の取り扱い者はそれぞれ、農産物を少なくとも限定的に貯蔵している。穀物は収穫されるとすぐに、最適な熟成に向かって、そして最終的には腐敗に向かって時が刻まれ始める。多くの種類の農産物は、周囲の大気中の温度とエチレン濃度に大きく反応する。種々の実施形態では、これらの変数を管理することによって、上記の時の刻みを遅らせて、最終的には一次的貯蔵から出荷される果実の品質を向上させられる。種々の実施形態では、果実の貯蔵期間が長ければ長いほど、品質向上の機会は大きくなる。また、悪影響を受けることなく果実をより長期間貯蔵できれば、販売者は、市価に対してより多くの影響力を有し得る。従って、種々の実施形態では、エチレン管理技術の使用は、収益性に直接結び付けられる。
【００３６】
一部の実施形態では、農産物仲買人が果実と野菜で満たされたいくつかの部屋または建物を管理し得る。こうした状況では、ここに記載のガストラッププレフィルタを備えたＣＩ−９００電気化学セルエチレンセンサを用いて、エチレンが種々の種類の果実の早期熟成に大きく貢献しているか否かを決定してもよい。一部の実施形態では、ＣＩ−９００電気化学セルを研究対象の果実の近くまたはその中に配置してもよい。種々の実施形態では、その後該装置を作動させて、１時間、１日、１週間またはそれ以上連続作動させてもよい。種々の実施形態では、内蔵電池は最高約４時間まで作動し得るが、それ以上の場合には電源アダプタを使用してもよい。一部の実施形態では、エチレン生成事象は、周期的に、例えば日毎または週毎に発生し得るため、エチレンモニタリング期間はより長い方が好ましい。データは、コンピューティング装置に無線で送信されるか、あるいはＳＤカードなどのローカルメディアに収集されてもよく、その後に分析されてもよい。一部の実施形態では、エチレン量の上昇は、それらのエチレン寄与を最小化するために変更され得る、同時活性に関連付けられてもよい。
【００３７】
実施例４：固定装置におけるＣＩ−９００電気化学セルとガストラップとの使用
【００３８】
この実施例では、ここに記載のガストラップを有するセンサの常設装置での使用を例証する。一部の実施形態では、ここに記載のガストラッププレフィルタを備えたＣＩ−９００電気化学セルエチレンセンサは、所定の場所に固定設置され、電源出力に差し込まれて、長期に亘り空間をモニターするために使用されてもよい。種々の実施形態では、果実貯蔵用の大気状態の制御には、環境中のエチレン量と共に、Ｃ０２と酸素の管理も含まれ得る。一部の実施形態では、ＣＩ−９００エチレンセンサと共に、低分解能のＣ０２センサ（０〜１０，０００ｐｐｍｖ）と酸素センサを組み込んでも、あるいは使用してもよい。種々の実施形態では、エチレン量、Ｃ０２量および０２量を最小化してもよく、温度を凍結温度のすぐ近くのレベルに維持してもよい。一部の実施形態では、ＣＩ−９００電気化学セルの裏面の端子ブロックを用い、使用者が設定可能なエチレン閾値で、種々の空気取り扱い装置またはアラームを始動させてもよい。一部の実施形態では、端子ブロック上の他のピンによって、センサ測定値を他の大型空気取り扱いシステム制御器に送ってもよい。
【００３９】
いくつかの実施形態について、上記のように例証し説明したが、当業者であれば、同じ目的を達成するように意図された種々の代替およびまたは均等な実施形態または実装によって、本範囲を逸脱することなく、例示し説明した実施形態を置換し得ることは理解するであろう。当業者であれば、実施形態は非常に広範囲の方法で実施され得ることは容易に理解するであろう。本出願は、本明細書で検討した実施形態に対するいかなる適応や変形もカバーするように意図される。従って、実施形態は、請求項およびその均等物によってのみ制限されることは明らかである。
【図１Ａ】
2016514845.tif 000003
【図１Ｂ】
2016514845.tif 000004
【図２】
2016514845.tif 000005
【図３】
2016514845.tif 000006
【図４】
2016514845.tif 000007
【国際調査報告】
2016514845.tif 000008